(57)【要約】【課題】  体温計、血圧および心拍計、体脂肪計もしくは肌分析器を備え、それによってユーザの入力装置使用時に体温、血圧および心拍、体脂肪もしくは肌質を測定可能とする入力装置を提供すること。【解決手段】  上部カバーおよび下部カバーと、その間に形成された、接続インタフェースを有する電子回路を配置するための空間とを有する本体と、  前記本体に配置された計器と、  前記空間に配置され、前記計器および前記電子回路に結合される制御回路とを備え、  それによって、前記計器により検出された人の生理学的パラメータを、コンピュータにインストールされたモニタ・プログラムに前記接続インタフェースを介して送ることが可能とされること。【選択図】図１
0003111641.tif 000002
【実用新案登録請求の範囲】
【請求項１】
上部カバーおよび下部カバーと、その間に形成された、接続インタフェースを有する電子回路を配置するための空間とを有する本体と、
前記本体に配置された計器と、
前記空間に配置され、前記計器および前記電子回路に結合される制御回路とを備え、
それによって、前記計器により検出された人の生理学的パラメータを、コンピュータにインストールされたモニタ・プログラムに前記接続インタフェースを介して送ることが可能とされることを特徴とする入力装置。
【請求項２】
前記入力装置が、マウスであることを特徴とする請求項１に記載の入力装置。
【請求項３】
前記上部カバーの上面に第１開口が配置され、取外し可能な底部カバーと、４つの第２開口と、第３開口とがそれぞれ前記下部カバーに配置されることを特徴とする請求項２に記載の入力装置。
【請求項４】
前記計器が前記第１開口から露出される体温計であることを特徴とする請求項３に記載の入力装置。
【請求項５】
前記計器が接触計器もしくは赤外計器であることを特徴とする請求項４に記載の入力装置。
【請求項６】
前記計器が前記空間に配置された血圧および心拍計であり、前記血圧および心拍計を、前記取外し可能な底部カバーを介して前記本体から分離可能とすることを特徴とする請求項３に記載の入力装置。
【請求項７】
前記計器が４つの検出ポイントを有する体脂肪計器であり、前記４つの検出ポイントが前記４つの第２開口に配置され、前記第２開口からそれぞれ露出されることを特徴とする請求項３に記載の入力装置。
【請求項８】
前記計器が前記空間に配置された肌分析器であり、前記肌分析器を回転可能且つ前記底部カバーから突出可能とすることを特徴とする請求項３に記載の入力装置。
【請求項９】
前記制御回路に結合され、前記空間に配置され且つ前記第３開口から露出される表示装置をさらに備えることを特徴とする請求項３に記載の入力装置。
【請求項１０】
前記表示装置がＬＣＤもしくはＬＥＤディスプレイであることを特徴とする請求項９に記載の入力装置。
【請求項１１】
前記接続インタフェースがＰＳ／２、ＵＳＢもしくはワイヤレス接続インタフェースであることを特徴とする請求項１に記載の入力装置。
【請求項１２】
前記入力装置が好ましくはキーボードであることを特徴とする請求項１に記載の入力装置。
【請求項１３】
前記上部カバーにそれぞれ配置された、第１開口と、取外し可能な第１側部カバーと、４つの第２開口と、取外し可能な第２側部カバーと、第３開口とをさらに備えることを特徴とする請求項１２に記載の入力装置。
【請求項１４】
前記計器が前記第１開口から露出される体温計であり、前記体温計を前記第１開口を介して前記本体から分離可能とすることを特徴とする請求項１３に記載の入力装置。
【請求項１５】
前記計器が接触計器もしくは赤外計器であることを特徴とする請求項１４に記載の入力装置。
【請求項１６】
前記計器が前記空間に配置された血圧および心拍計であり、前記血圧および心拍計を、前記取外し可能な第１側部カバーを介して前記本体から分離可能とすることを特徴とする請求項１３に記載の入力装置。
【請求項１７】
前記計器が４つの検出ポイントを有する体脂肪計器であり、前記４つの検出ポイントが前記４つの第２開口に配置され、前記第２開口からそれぞれ露出されることを特徴とする請求項１３に記載の入力装置。
【請求項１８】
前記計器が前記空間に配置された肌分析器であり、前記肌分析器を前記取外し可能な第２側部カバーを介して前記本体から分離可能とすることを特徴とする請求項１３に記載の入力装置。
【請求項１９】
前記制御回路に結合され、前記空間に配置され且つ前記第３開口から露出される表示装置をさらに備えることを特徴とする請求項１３に記載の入力装置。
【請求項２０】
前記表示装置がＬＣＤもしくはＬＥＤディスプレイであることを特徴とする請求項１９に記載の入力装置。
【考案の詳細な説明】
【技術分野】
【０００１】
本考案は入力装置に関し、特に本考案は、体温計、血圧および心拍計、体脂肪計もしくは肌分析器を備え、それによってユーザが入力装置を使用時に体温、血圧および心拍、体脂肪もしくは肌質を測定可能とする入力装置に関する。
【背景技術】
【０００２】
マウスあるいはキーボード等の入力装置は、一般的にコンピュータ入力（実行）もしくはメニュー選択ツールとして作動する。コンピュータが益々普及するのに伴い、ユーザは就業時間中に一層頻繁にコンピュータを使用する。しかし、マウスあるいはキーボードはきわめて安価な成熟製品とされ、したがって、従来技術のマウスあるいはキーボードには入力機能しかなく、ユーザがその体温、血圧および心拍、体脂肪もしくは肌質等の生理学的パラメータを測定することができる機能は具備しない。
したがって、それらの欠点を克服するための新規且つ改良された戦略および技術が必要とされ、本考案はそれらの欠点を新規な態様にて克服するものである。
【考案の開示】
【考案が解決しようとする課題】
【０００３】
本考案は、概して、従来の可搬式入力装置に関連する上述の欠点を幾つかあるいは全て克服する戦略および技術に関する。
【０００４】
本考案は、体温計、血圧および心拍計、体脂肪計もしくは肌分析器を備え、それによってユーザの入力装置使用時に体温、血圧および心拍、体脂肪もしくは肌質を測定可能とする入力装置を提供することをその目的とする。
【課題を解決するための手段】
【０００５】
本考案の入力装置は、上部カバーおよび下部カバーと、その間に形成された、接続インタフェースを有する電子回路を配置するための空間とを有する本体と、該本体に配置された計器と、該空間に配置され、該計器および該電子回路に結合される制御回路とを備え、それによって、該計器により検出された人の生理学的パラメータを、コンピュータにインストールされたモニタ・プログラムに該接続インタフェースを介して送ることが可能とされることからなる。
又、前記入力装置が、マウスであることが好適である。
又、前記上部カバーの上面に第１開口が配置され、取外し可能な底部カバーと、４つの第２開口と、第３開口とがそれぞれ前記下部カバーに配置されることが好適である。
又、前記計器が前記第１開口から露出される体温計であることが好適である。
又、前記計器が接触計器もしくは赤外計器であることが好適である。
又、前記計器が前記空間に配置された血圧および心拍計であり、前記血圧および心拍計を、前記取外し可能な底部カバーを介して前記本体から分離可能とすることが好適である。
又、前記計器が４つの検出ポイントを有する体脂肪計器であり、前記４つの検出ポイントが前記４つの第２開口に配置され、前記第２開口からそれぞれ露出されることが好適である。
又、前記計器が前記空間に配置された肌分析器であり、前記肌分析器を回転可能且つ前記底部カバーから突出可能とすることが好適である。
又、前記制御回路に結合され、前記空間に配置され且つ前記第３開口から露出される表示装置をさらに備えることが好適である。
又、前記表示装置がＬＣＤもしくはＬＥＤディスプレイであることが好適である。
又、前記接続インタフェースがＰＳ／２、ＵＳＢもしくはワイヤレス接続インタフェースであることが好適である。
又、前記入力装置が好ましくはキーボードであることが好適である。
又、前記上部カバーにそれぞれ配置された、第１開口と、取外し可能な第１側部カバーと、４つの第２開口と、取外し可能な第２側部カバーと、第３開口とをさらに備えることが好適である。
又、前記計器が前記第１開口から露出される体温計であり、前記体温計を前記第１開口を介して前記本体から分離可能とすることが好適である。
又、前記計器が接触計器もしくは赤外計器であることが好適である。
又、前記計器が前記空間に配置された血圧および心拍計であり、前記血圧および心拍計を、前記取外し可能な第１側部カバーを介して前記本体から分離可能とすることが好適である。
又、前記計器が４つの検出ポイントを有する体脂肪計器であり、前記４つの検出ポイントが前記４つの第２開口に配置され、前記第２開口からそれぞれ露出されることが好適である。
又、前記計器が前記空間に配置された肌分析器であり、前記肌分析器を前記取外し可能な第２側部カバーを介して前記本体から分離可能とすることが好適である。
又、前記制御回路に結合され、前記空間に配置され且つ前記第３開口から露出される表示装置をさらに備えることが好適である。
さらに、前記表示装置がＬＣＤもしくはＬＥＤディスプレイであることが好適である。
【考案を実施するための最良の形態】
【０００６】
本考案は、以下の説明により、且つ添付図面を参照することによって、さらに理解が深められよう。
【０００７】
図１に、本考案の好ましい一実施形態による入力装置の分解図を示す。図１に示すように、本考案の入力装置は本体１０（図２参照）、計器２０および制御回路３０を備える。本考案の入力装置はマウスもしくはキーボードとすることが可能とされ、説明上、図１から５に示す本考案の入力装置を好ましくはマウスとし、図６から１０に示す本考案の入力装置を好ましくはキーボードとする。
【０００８】
本体１０は、例えばＡＢＳもしくはＰＣ、並びにこれに限らない高分子材料を成型して製作された１組の上部カバー１１および下部カバー１２により形成され、上部カバー１１と下部カバー１２の間に、ＰＳ／２、ＵＳＢもしくはワイヤレス・インタフェース並びにこれに限らない接続インタフェース１４１を伴う電子回路１４を配置する空間１３が形成され、これらのインタフェースは従来技術とされ、一般のコンピュータ周辺製品に使用されているので、本書でさらに詳しくは説明しない。また、上部カバー１１は少なくとも１つの左ボタン１１１、右ボタン１１２を備えるが、これらのボタン１１１、１１２も従来技術であるから、ここでさらに詳しくは説明しない。上部カバー１１はまた、スクロール・ホイール１５をユーザの操作に好都合なように露出させるための溝１１３を備える。上部カバー１１はさらに第１開口１１４を備え、下部カバー１２は取外し可能な底部カバー１２１、４つの第２開口１２２および第３開口１２３を備える。
【０００９】
本考案の本体１０に配置された計器２０は、体温計２１（図２参照）、血圧および心拍計２２（図３参照）、体脂肪計２３（図４参照）もしくは肌分析器２４（図５参照）とすることが可能とされ、したがって本考案の入力装置は、体温、血圧および心拍、体脂肪もしくは肌質等、ユーザの生理学的パラメータを測定する能力を有する。
【００１０】
制御回路３０は空間１３に配置され、且つ計器２０および電子回路１４に結合され、電子回路は、計器２０によって検出された体温、血圧および心拍、体脂肪もしくは肌理等の生理学的パラメータを受け、且つ計器２０によって検出された生理学的パラメータを接続インタフェース１４１を介してホスト・コンピュータ（図示せず）にインストールされたモニタ・プログラムに送り、それによってユーザの生理学的パラメータを表示、モニタおよび管理するための対応作用を生成する。
【００１１】
さらに、本考案の入力装置は、制御回路３０に結合され且つ空間１３に配置され、第３開口１２３から露出される表示装置４０（図２参照）を備え、表示装置４０は例えばＬＣＤもしくはＬＥＤディスプレイとし、これに限らない。ホスト・コンピュータのシャット・ダウン状態の時もしくはホスト・コンピュータの無いところにおいては、表示装置４０はユーザが別の表示方法を選択することによって計器２０によって測定された生理学的パラメータを表示することが可能とされる。
【００１２】
図２に、本考案の好ましい一実施形態による、検温機能を有するマウスの組立図を示す。図２に示すように、本考案の計器２０を例えば接触計器もしくは赤外計器並びにこれに限らない体温計２１とするとき、本考案の入力装置は、体温計２１が空間１３に配置され第１開口１１４から露出される、検温機能を有するマウスとなる。ユーザは、マウスを取り上げ、額に近寄せてより正確な体温を測定することができ、本考案のマウスは体温計２１によって検出された体温信号を制御回路３０に送って処理し、次いで接続インタフェース１４１を介してホスト・コンピュータのモニタ・プログラムに送って表示するか、あるいは表示装置４０に出力して表示する。
【００１３】
図３に、本考案の別の好ましい実施形態による、血圧および心拍検出機能を有するマウスの組立図を示す。図３に示すように、本考案の計器２０を血圧および心拍計２２とするとき、本考案の入力装置は、血圧および心拍検出機能を有する、血圧および心拍計２２が空間１３に配置され、血圧および心拍計２２が取外し可能な底部カバー１２１（図１参照）を介して本体１０から分離可能なマウスとなる。ユーザは、取外し可能な底部カバー１２１を開いて血圧および心拍計２２を取り出し、次いで手に装着して血圧および心拍信号を測定することができ、本考案のマウスは血圧および心拍計２２により検出された血圧および心拍信号を制御回路３０に送って処理し、次いで接続インタフェース１４１を介してホスト・コンピュータのモニタ・プログラムに送って表示するか、あるいは表示装置４０に出力して表示する。
【００１４】
図４に、本考案のさらに別の好ましい実施形態による、体脂肪検出機能を有するマウスの組立図を示す。図４に示すように、本考案の計器２０を体脂肪計２３とするとき、本考案の入力装置は、体脂肪検出機能を有する、体脂肪計２３が４つの第２開口１２２に配置され第２開口１２２からそれぞれ露出される４つの検出ポイント２３１を有するマウスとなる。ユーザは、両手の４本の指（左右の手の親指と人差し指等）を４つの検出ポイントにそれぞれ置いて体脂肪信号を測定することができ、本考案のマウスは体脂肪計２３により検出された体脂肪信号を制御回路３０に送って処理し、次いで接続インタフェース１４１を介してホスト・コンピュータのモニタ・プログラムに送って表示するか、あるいは表示装置４０に出力して表示する。
【００１５】
図５に、本考案のさらにまた別の好ましい実施形態による、肌理検出機能を有するマウスの組立図を示す。図５に示すように、本考案の計器２０を肌分析器２４とするとき、本考案の入力装置は、肌分析機能を有する、肌分析器２４が、空間１３に配置され且つ回転可能で底部カバー１２から突出する２つの接触子２４１を備えるマウスとなる。ユーザは、底カバー１２を返して接触子２４１を本体１０から突出させ、接触子を肌に接触させて肌情報を分析することができ、本考案のマウスは肌分析器２４により分析された肌情報を制御回路３０に送って処理し、次いで接続インタフェース１４１を介してホスト・コンピュータのモニタ・プログラムに送って表示するか、あるいは表示装置４０に出力して表示する。
【００１６】
さらに、本考案の入力装置は、ＰＳ／２、ＵＳＢもしくはワイヤレス・インタフェース並びにこれに限らない接続インタフェースを有するキーボードとすることも可能とされる。図６に、本考案の好ましい一実施形態によるキーボードの分解図を示す。図６に示すように、本考案のキーボードは、本体５０、計器２０、および制御回路３０を備え、計器２０および制御回路３０は図１から図５の計器２０および制御回路３０に同じであるから、計器２０および制御回路３０に関する説明は前述の説明を参照されたい。
【００１７】
本体５０は、例えばＡＢＳもしくはＰＣ、並びにこれに限らない高分子材料を成型して製作された１組の上部カバー５１および下部カバー５２により形成され、上部カバーと下部カバーの間に、ＰＳ／２、ＵＳＢもしくはワイヤレス・インタフェース並びにこれに限らない接続インタフェース５４１を伴う電子回路５４を配置する空間１３が形成される。さらに、上部カバー５１の側部に第１開口５１１、取外し可能な第１側部カバー５１２、４つの第２開口５１３、取外し可能な第２側部カバー５１４および第３開口５１５を備える。また、本考案のキーボードはさらに、制御回路３０に結合されるとともに空間５３に配置され且つ第３開口５１５から露出される表示装置４０を備え、表示装置４０は、ＬＣＤもしくはＬＥＤディスプレイとされる。
【００１８】
図７に、本考案の別の好ましい実施形態による、検温機能を有するキーボードの組立図を示す。図７に示すように、本考案の計器２０を例えば接触計器もしくは赤外計器並びにこれに限らない体温計２１とするとき、本考案の入力装置は、体温計２１が空間５３に配置され第１開口５１１から露出される、検温機能を有するキーボードとなる。ユーザは、体温計２１を第１開口５１１から取り出し、額に近寄せてより正確な体温を測定することができ、本考案のキーボードは体温計２１によって検出された体温信号を制御回路３０に送って処理し、次いで接続インタフェース１４１を介してホスト・コンピュータのモニタ・プログラムに送って表示するか、あるいは表示装置４０に出力して表示する。
【００１９】
図８に、本考案のさらに別の好ましい実施形態による、血圧および心拍検出機能を有するキーボードの組立図を示す。図８に示すように、本考案の計器２０を血圧および心拍計２２とするとき、本考案の入力装置は、血圧および心拍検出機能を有する、血圧および心拍計２２が空間５３に配置され、血圧および心拍計２２が取外し可能な第１側部カバー５１２を介して本体５０から分離可能なキーボードとなる。ユーザは、取外し可能な第１側部カバー５１２を開いて血圧および心拍計２２を取り出し、次いで手に装着して血圧および心拍信号を測定することができ、本考案のキーボードは血圧および心拍計２２により検出された血圧および心拍信号を制御回路３０に送って処理し、次いで接続インタフェース１４１を介してホスト・コンピュータのモニタ・プログラムに送って表示するか、あるいは表示装置４０に出力して表示する。
【００２０】
図９に、本考案のさらに別の好ましい実施形態による、体脂肪検出機能を有するキーボードの組立図を示す。図９に示すように、本考案の計器２０を体脂肪計２３とするとき、本考案の入力装置は、体脂肪検出機能を有する、体脂肪計２３が４つの第２開口５１３に配置され第２開口５１３からそれぞれ露出される４つの検出ポイント２３１を有し、４つの検出ポイント２３１が例えば四角の数値キーパッド周囲並びにこれに限らない箇所に配置されたキーボードとなる。ユーザは、両手の４本の指（左右の手の親指と人差し指等）を４つの検出ポイント２３１にそれぞれ置いて体脂肪信号を測定することができ、本考案のキーボードは体脂肪計２３により検出された体脂肪信号を制御回路３０に送って処理し、次いで接続インタフェース１４１を介してホスト・コンピュータのモニタ・プログラムに送って表示するか、あるいは表示装置４０に出力して表示する。
【００２１】
図１０に、本考案のさらにまた別の好ましい実施形態による、肌分析機能を有するキーボードの組立図を示す。図１０に示すように、本考案の計器２０を肌分析器２４とするとき、本考案の入力装置は、肌分析器２４が空間５３に配置され且つ回転可能とされ且つ取外し可能な第２側部カバー５１４から突出する２つの接触子２４１を備える、肌分析機能を有するキーボードとなる。ユーザは、取外し可能な第２側部カバー５１４を返して接触子２４１を本体５０から突出させ、接触子を肌に接触させて肌情報を測定することができ、本考案のキーボードは肌分析器２４により分析された肌情報を制御回路３０に送って処理し、次いで接続インタフェース１４１を介してホスト・コンピュータのモニタ・プログラムに送って表示するか、あるいは表示装置４０に出力して表示する。
【００２２】
以上、本考案を好ましい実施形態に関して説明したが、いうまでもなく変更および変形は容易に可能とされる。
【図面の簡単な説明】
【００２３】
【図１】本考案の好ましい一実施形態による入力装置の分解透視図である。
【図２】本考案の好ましい一実施形態による、体温検出機能を有するマウスの組立透視図である。
【図３】本考案の別の好ましい実施形態による、血圧および心拍検出機能を有するマウスの組立透視図である。
【図４】本考案のさらに別の好ましい実施形態による、体脂肪検出機能を有するマウスの組立透視図である。
【図５】本考案のさらに別の好ましい実施形態による、肌質検出機能を有するマウスの組立透視図である。
【図６】本考案の好ましい一実施形態による、体温検出機能を有するキーボードの分解透視図である。
【図７】本考案の好ましい一実施形態による、体温検出機能を有するキーボードの組立透視図である。
【図８】本考案の別の好ましい実施形態による、血圧および心拍検出機能を有するキーボードの組立透視図である。
【図９】本考案のさらに別の好ましい実施形態による、体脂肪検出機能を有するキーボードの組立透視図である。
【図１０】本考案のさらに別の好ましい実施形態による、肌理検出機能を有するキーボードの組立透視図である。
【符号の説明】
【００２４】
１０、５０  本体
１１、５１  上部カバー
１２、５２  下部カバー
１４、５４  電子回路
１４１、５４１  接続インタフェース
２０  計器
３０  制御回路
４０  表示装置
【図１】
0003111641.tif 000003
【図２】
0003111641.tif 000004
【図３】
0003111641.tif 000005
【図４】
0003111641.tif 000006
【図５】
0003111641.tif 000007
【図６】
0003111641.tif 000008
【図７】
0003111641.tif 000009
【図８】
0003111641.tif 000010
【図９】
0003111641.tif 000011
【図１０】
0003111641.tif 000012